(57)【要約】【課題】  低コストで塗料ミストの飛散を防止でき、展張作業も効率良く行える塗料ミスト飛散防止用シート及びその展張方法を提供する。【解決手段】  塗装工事現場において足場を形成する縦単管１を所定間隔で立設し、これら隣り合う縦単管１間にメッシュシート２を張設し、これらメッシュシート２の外周に張設される塗料ミスト飛散防止用シートであって、横幅を縦単管１間の間隔の２倍ないし６倍プラス６０〜８０ｃｍに形成された不織布３からなり、隣り合う不織布３同士はその両端部が３０〜４０ｃｍオーバーラップした状態で張設されている。【選択図】  図１
2005349251.tif 000002
【特許請求の範囲】
【請求項１】
塗装工事現場において足場を形成する縦単管を所定間隔で立設し、これら隣り合う縦単管間にメッシュシートを張設し、これらメッシュシートの外周に張設される塗料ミスト飛散防止用シートであって、
横幅を縦単管間の間隔の２倍ないし６倍プラス６０〜８０ｃｍに形成された不織布からなり、
隣り合う不織布同士はその両端部が３０〜４０ｃｍオーバーラップした状態で張設されていることを特徴とする塗料ミスト飛散防止用シート。
【請求項２】
縦単管間の間隔を１８０ｃｍとしたとき、前記不織布の横幅を（１８０ｃｍ×ｎ（ｎは２〜６の整数）プラス６０〜８０ｃｍとし、縦幅を６００〜７００ｃｍとしたことを特徴とする請求項１に記載の塗料ミスト飛散防止用シート。
【請求項３】
前記不織布の両端部の上下４箇所にハトメ孔を有し、さらに両端部より横方向（６０〜８０ｃｍ）／２の位置の上下に亘る直線上に均等間隔に２〜６個のハトメ孔があり、さらに横方向に１８０ｃｍ間隔で上下に亘る同様なハトメ孔を有し、全てのハトメ孔には縦単管に連結するための紐が固定されていることを特徴とする請求項２に記載の塗料ミスト飛散防止用シート。
【請求項４】
前記不織布の厚さが０．２５〜０．５ｍｍで、ベンジュラム法で測定した引き裂き強度が３．５〜１０．０（Ｎ）であることを特徴とする請求項１ないし３のいずれか１項に記載の塗料ミスト飛散防止用シート。
【請求項５】
塗装工事現場の外周に展張される塗料ミスト飛散防止用シートの展張方法であって、
足場を形成するために作られ所定幅の対向する縦単管にラッセル網で形成されたメッシュシートをハトメ孔を通して連結展張し、これを１ユニットとして繰り返し、建築物外周をメッシュシートで囲い、
次に、該メッシュシートの建築物と対向しない反対側の面に重ねて不織布を展張する工程で、該不織布の両端部を縦単管より（６０〜８０ｃｍ）／２を横方向に残してメッシュシートのｎ個（ｎは２〜６）のユニットを跨いで展張し、その端部（６０〜８０ｃｍ）／２は隣り合う不織布の端部とオーバーラップして展張していることを特徴とする塗料ミスト飛散防止用シートの展張方法。
【請求項６】
不織布の展張は、建築物とメッシュシートの間に組み立てられた足場にいる人により展張されるものであり、（６０〜８０ｃｍ）／２の端部を折り返した位置にあるハトメ孔に固定されている紐で縦単管に連結し、さらに隣り合う不織布を同様にして縦単管に連結し、（６０〜８０ｃｍ）／２の端部の上下両端の対向するハトメ孔同士を連結した後、左右いずれか側の縦単管に固定し、さらには両端部以外にあるハトメ孔は固定されている紐で縦単管に連結してあることを特徴とする請求項５に記載の塗料ミスト飛散防止用シートの展張方法。
【発明の詳細な説明】
【技術分野】
【０００１】
本発明は、建物の塗装工事現場で用いられる塗料ミスト飛散防止用シート及びその展張方法に関する。
【背景技術】
【０００２】
従来、塗装工事現場の外周には作業上の危険防止および塗料ミストおよび粉塵の外部飛散防止に合成樹脂製の養生用メッシュシートが展張されるのが通例である。しかしながら、メッシュシートは通気性を有するので、塗料ミストおよび粉塵の一部が空気流と共に外部に飛散して環境悪化問題をおこし、養生用メッシュシートの目的を十分満足できるものではなかった。
【０００３】
そこで、ポリオレフィン系樹脂からなる粗目を有する網状体をエレクトレット化し、塗料ミストおよび粉塵の補集効率を向上せしめた塗料ミスト飛散防止用メッシュシートが開発された。このシートは、ポリオレフィン系樹脂１００重量部に対し、フェノール系安定剤、イオウ系安定剤またはリン系安定剤から選ばれた少なくとも１種を０．０１〜２重量部を配合した樹脂組成物からなる延伸糸条から形成された粗目を有する網状体であって、該網状体の表面をコロナ放電処理によりエレクトレット化したものである（特許文献１参照）。
【特許文献１】特開平９−１１７６９９号公報（第２頁）
【発明の開示】
【発明が解決しようとする課題】
【０００４】
従来のエレクトレット化してその帯電現象を利用して塗料ミストを補集するシートでは、シートの製造コストが高くなり、しかも張設されたシート間に隙間ができれば、その隙間からミストが通過してしまうものであった。
【０００５】
そこで、本発明は、低コストで塗料ミストの飛散を防止できる塗料ミスト飛散防止用シート及びその展張方法を提供することを目的とする。
【課題を解決するための手段】
【０００６】
上述の目的を達成するため、本発明のシートは、塗装工事現場において足場を形成する縦単管を所定間隔で立設し、これら隣り合う縦単管間にメッシュシートを張設し、これらメッシュシートの外周に張設される塗料ミスト飛散防止用シートであって、横幅を縦単管間の間隔の２倍ないし６倍プラス６０〜８０ｃｍに形成された不織布からなり、隣り合う不織布同士はその両端部が３０〜４０ｃｍオーバーラップした状態で張設されているものである。また、シートの展張方法は、塗装工事現場の外周に展張される塗料ミスト飛散防止用シートの展張方法であって、足場を形成するために作られ所定幅の対向する縦単管にラッセル網で形成されたメッシュシートをハトメ孔を通して連結展張し、これを１ユニットとして繰り返し、建築物外周をメッシュシートで囲い、次に、該メッシュシートの建築物と対向しない反対側の面に重ねて不織布を展張する工程で、該不織布の両端部を縦単管より（６０〜８０ｃｍ）／２を横方向に残してメッシュシートのｎ個（ｎは２〜６）のユニットを跨いで展張し、その端部（６０〜８０ｃｍ）／２は隣り合う不織布の端部とオーバーラップして展張しているものである。
【発明の効果】
【０００７】
本発明は、塗装工事現場において足場を形成する縦単管を所定間隔で立設し、これら隣り合う縦単管間にメッシュシートを張設し、これらメッシュシートの外周に張設される塗料ミスト飛散防止用シートであって、横幅を縦単管間の間隔の２倍ないし６倍プラス６０〜８０ｃｍに形成された不織布からなり、隣り合う不織布同士はその両端部が３０〜４０ｃｍオーバーラップした状態で張設されているので、不織布が塗料ミストの飛散を防止し、しかも不織布の端部をオーバーラップさせてあるので、シート間に隙間ができず、飛散防止が確実なものとなる。また、シートをエレクトレット化する必要もなく、安価な不織布で十分な効果を上げることができる。また、足場を形成するために作られ所定幅の対向する縦単管にラッセル網で形成されたメッシュシートをハトメ孔を通して連結展張し、これを１ユニットとして繰り返し、建築物外周をメッシュシートで囲い、次に、該メッシュシートの建築物と対向しない反対側の面に重ねて不織布を展張する工程で、該不織布の両端部を縦単管より（６０〜８０ｃｍ）／２を横方向に残してメッシュシートのｎ個（ｎは２〜６）のユニットを跨いで展張し、その端部（６０〜８０ｃｍ）／２は隣り合う不織布の端部とオーバーラップして展張しているので、メッシュシート間の隙間やメッシュシートの通気部分からの塗料ミストの飛散が防止でき、しかも不織布の横幅がメッシュシートの２〜６倍プラス６０〜８０ｃｍであるために、展張作業も効率良く行える。
【発明を実施するための最良の形態】
【０００８】
以下に、本発明の実施形態について、図面を参照にして説明する。
【０００９】
図１及び図２において、塗装工事現場において組み立てられた足場の縦単管１を所定間隔、現状は１８０ｃｍ間隔で立設し、建物側に面してこの縦単管１間にラッセル網で形成されたメッシュシート２を張設してある（図２参照）。これらメッシュシート２の外周、すなわち建物に向き合った側とは反対側に不織布からなる塗料ミスト飛散防止用シート３を張設する。このシート（不織布）３は、その横幅を縦単管１間の間隔の２倍ないし６倍プラス６０〜８０ｃｍに形成してある。この実施形態では、縦単管１の間隔を１８０ｃｍとしたので、「１８０ｃｍ×３＋６０ｃｍ」の横幅とした。上記「倍数」は、作業の効率面などから２〜６倍とするのが好ましい。
【００１０】
図１に示すシート（不織布）３は、横幅が６００ｃｍ（６ｍ）、縦の長さが６４８ｃｍに形成されるとともに、両端部の上下４箇所にハトメ孔４を形成し、両端部から夫々３０ｃｍ内側に上下の縦方向に亘って５ケのハトメ孔４を等間隔で形成し、これらから内側に夫々１８０ｃｍ離れた位置の上下の縦方向にも５ケのハトメ孔４を形成してある。これらのハトメ孔４には縦単管１に連結するための紐（図示せず）が固定され、これらの紐でシート（不織布）３を縦単管１に取付けて、シート（不織布）３を展張する。図１に示すシート（不織布）３に形成された縦方向５ケのハトメ孔４の個所が縦単管１に位置され、隣り合うシート（不織布）３同士は、３０〜４０ｃｍ、この実施形態では両端部で３０ｃｍオーバーラップした状態で展張される。
【００１１】
なお、シート（不織布）３の縦の長さは、６００〜７００ｃｍの範囲内とし、縦単管１の個所に位置すべき縦方向のハトメ孔４は、５ケに限定されるものではなく、２〜６ケが好ましく、均等間隔に形成される。
【００１２】
図２に示すメッシュシート２にもハトメ孔５が形成され、隣り合うメッシュシート２のハトメ孔５間を紐６で縦単管１にしばりつけてメッシュシート２を連結展張してある。図２に示すように、建築物の外周をメッシュシート２で囲い、このメッシュシート２の建築物と対向しない反対側の面に、メッシュシート２に重ねてシート（不織布）３を展張する。前記２本の縦単管１に張設されたメッシュシート２を１ユニットとしたとき、シート（不織布）３の両端部を縦単管１より（６０〜８０ｃｍ）／２を横方向に残してメッシュシート２のｎ個（ｎは２〜６）のユニットを跨いで展張し、その端部（６０〜８０ｃｍ）／２は隣り合うシート（不織布）３の端部とオーバーラップするようにしてある。また、シート（不織布）３の展張は、建築物とメッシュシート２との間に組み立てられた足場にいる人により展張されるが、（６０〜８０ｃｍ）／２の端部を折り返した位置にあるハトメ孔４に固定されている紐で縦単管１に連結し、さらに隣り合うシート（不織布）３を同様にして縦単管１に連結する。このように、シート（不織布）３の（６０〜８０ｃｍ）／２の端部の上下両端の対向するハトメ孔４同士を連結した後、左右いずれか側の縦単管１に固定する。さらに、両端部以下のハトメ孔４（図１では縦５ケのもの）は、固定されている紐で縦単管１に固定する。
【００１３】
前記メッシュシート２は、ラッセル網を用い、通気性を有し、塗料ミストを通過させるものである。塗料ミスト飛散防止用シート（不織布）３は、材料としてはナイロンやポリエステルが好適に使用される。また、合繊長繊維不織布の引裂強力（Ｎ）（Tear Strength、引き裂き強度）をベンジュラム法で測定し、３．５〜１０．０（Ｎ）であることが使用するシート（不織布）３として好適であった。このベンジュラム法とは、６．５ｃｍ×１０ｃｍの試験片を、縦、横方向に夫々５枚採取し、エレメンドル形引き裂き強さ試験機を用い、試験片の両つかみの中央で長辺のほぼ中央に辺と直角な刃物によって２ｃｍの切れ目を入れ、残り４．５ｃｍが引き裂かれたときに示す最大荷重をはかり、縦、横方向を夫々の平均値で表わす方法である。さらに、シート（不織布）３の厚みは、０．２８〜０．４６ｍｍが好適である。０．２８ｍｍ未満であると強度が不足し、０．４６ｍｍ超であると固くなりすぎて展張作業がやりにくくなる。
【００１４】
養生シートの種類による塗料飛散程度と乾燥性とを比較実験してみた。養生シートとしては、ラッセル網シート（ａ）、ブルーシート（ビニールシート）（ｂ）、不織布シート（ｃ）を用いた。これら（ａ）〜（ｃ）の夫々で、ボックスの天井の一部と風を送るための側面の一部を除き、ボックスを覆った。また、ＯＨＰシートを養生シート外側、シート間の隙間、天井の隙間に設置し、側面から風を送りながら固形分６７重量％のアクリルシリコンエマルション塗料（以降、塗料Ａという）をボックスに２０分間連続塗装し（スプレーガンを用いた）、そのまま６０分間放置した。ボックス中心部の風速を約１ｍ／ｓ、ボックスの大きさを（４５０ｍｍ×９０ｍｍ×５５ｍｍ）とした。前記ＯＨＰシートに付着した塗料ミスト量を比較した。また、乾燥性の比較については、各養生シートで底面以外の５面を覆ったボックス中に塗料Ａを塗装した板を入れ、指触乾燥時間の比較を行う。このときのボックスの大きさは、７０ｍｍ×２００ｍｍ×３３０ｍｍ、気温２３℃、湿度５０％ＲＨ、無風状態とし、塗料Ａの塗布量は０．３５ｋｇ／ｍ２とした。
【００１５】
上記（ｂ）のシートでは風を全く通さないため、また（ｃ）のシートでは風を通しにくいために、塗料ミストも通過していないことが判明した。これら（ｂ）,（ｃ）のシートの飛散防止効果を「５」の評価（防止効果が高い）とすると、（ａ）のシートでは「３」の評価（防止効果が低い）であった。また、乾燥性については、（ａ）シートを○とすると、（ｂ）シートが×、（ｃ）シートが△の評価であった。評価基準は下記の通りである。
○：乾燥性良好
△：乾燥性は若干劣るが実用上問題はない
×：乾燥性不良
（ｃ）の不織布シートは、シート間の隙間から塗料ミストが多く飛散した。これは、他のシート（ａ），（ｂ）に比べて素材が柔らかいために、側面からの風で不織布シートがばたつき、隙間が一時的に広くなるためと考えられる。
【００１６】
上述のような実験結果を踏まえて、本発明が開発され、塗料ミスト飛散を防止し、乾燥性も大きく損うこともなく、展張作業も容易になるように上述したような構成としたものである。
【図面の簡単な説明】
【００１７】
【図１】シート（不織布）と縦単管を示す正面図。
【図２】メッシュシートを縦単管に固定した正面図。
【符号の説明】
【００１８】
１  縦単管
２  メッシュシート
３  シート（不織布）
４  ハトメ孔
【図１】
2005349251.tif 000003
【図２】
2005349251.tif 000004